(57)【要約】【課題】  物体表面のワックス仕上げ処理を効果的に、かつ省力的に行い、人体への健康阻害要因となる界面活性剤等の化学合成物を含まない洗浄ワックス剤を提供する。【解決手段】  アルカリ金属の炭酸塩および重炭酸塩の少なくとも１つを含む水溶液を電気分解して得られた電解洗浄液と、天然ワックスを主成分とするワックス剤とを含有させ、被洗浄物の表面に塗布したとき、電解洗浄液がワックス剤より先に被洗浄物の表面に浸透し、被洗浄物の表面の汚れ物質を吸着して除去し、かつ被洗浄物の表面の帯電を防止することによって汚れ物質の付着を防止することができ、そして、前記電解洗浄液で洗浄された被洗浄物の表面に洗浄ワックス剤に含有しているワックス剤が密着することによってワックス仕上がり効果を得られるようにした。【特許請求の範囲】
【請求項１】
アルカリ金属の炭酸塩および重炭酸塩の少なくとも１つを含む水溶液を電気分解して得られた電解洗浄液と、天然ワックスを主成分とするワックス剤とを含有することを特徴とする洗浄ワックス剤。
【請求項２】
前記電解洗浄液は、ｐＨ値が８．５〜１１．０でかつ電気伝導度が１００ｍＳ／ｍ以上であることを特徴とする請求項１に記載の洗浄ワックス剤。
【請求項３】
前記電解洗浄液３０リットルに対し、前記ワックス剤を１〜２リットル含有することを特徴とする請求項１または請求項２に記載の洗浄ワックス剤。
【請求項４】
前記ワックス剤の天然ワックスが、蜜蝋であることを特徴とする請求項１乃至３のいずれかに記載の洗浄ワックス剤。
【請求項５】
前記ワックス剤に添加剤として、蜜蝋アンモニウム石鹸、亜麻仁油スタンド油、亜麻仁油、オレンジオイル、ダンマル樹脂、ミルクカゼイン、ホウ砂、ホウ酸、メチルセルローズ、ハーブ油、珪藻土、植物アルコールのうちから少なくとも１つ以上含んでいることを特徴とする請求項１乃至４のいずれかに記載の洗浄ワックス剤。
【請求項６】
請求項１乃至５のいずれかに記載の洗浄ワックス剤を、織布、編布、不織布のうちのいずれか一つからなるシート状の基材に含浸させた洗浄ワックス剤含浸シートであって、
前記洗浄ワックス剤を前記基材の重量に対し２〜２０倍の重量比で含浸させたことを特徴とする洗浄ワックス剤含浸シート。
【請求項７】
前記基材が、天然素材からなることを特徴とする請求項６に記載の洗浄ワックス剤含浸シート。   
【発明の詳細な説明】
【技術分野】
【０００１】
本発明は，洗浄ワックス剤および洗浄ワックス剤含浸シートに関する。
【背景技術】
【０００２】
住宅の床等の物体（被洗浄物）の表面をワックス仕上げをする際、従来は、一般に洗浄剤とワックス剤を用い、洗浄工程とワックス処理工程を経て行っていた。
【０００３】
例えば、洗浄剤を含浸した布やスポンジ等のシートを用いて被洗浄物の表面に付着している汚れを洗浄し、次に、ワックス剤を含浸した布やスポンジ等のシートを用いて洗浄した被洗浄物の表面をワックス処理していた。
【０００４】
前記の工程で使用される従来の洗浄剤は、そのほとんどが、洗浄効果を出すために化学合成物よりなる界面活性剤等を含有しており、また、ワックス剤も経済性等の点で石油系の化学合成されたものが多く使用されていた（例えば、特許文献１参照。）。
【特許文献１】特開平８−７３８１４号公報
【発明の開示】
【発明が解決しようとする課題】
【０００５】
しかしながら，従来の被洗浄物の表面のワックス仕上げにおいては、洗浄剤とワックス剤とをそれぞれ用意し、そして、洗浄する工程とワックス処理する工程を要していたので、このワックス仕上げを行うには多くの手間と時間がかかっていた。また、洗浄剤には化学合成物よりなる界面活性剤等を含有しており、また、ワックス剤も石油系の化学合成されたものが使用されていたので、これらの化学物質はホルムアルデヒド等の発生を原因とする、いわゆるシックハウス症候群やアトピー性皮膚炎の一因となる可能性がある。また、これら化学物質を含有し、また化学物質が使用されたワックス剤を含浸した織布等のシートの廃棄が地球環境汚染といった問題にもなり得るといった問題があった。
【０００６】
本発明の目的は，物体表面のワックス仕上げ処理を効果的に、かつ省力的に行い、人体への健康阻害要因となる界面活性剤等の化学合成物を含まない洗浄ワックス剤と洗浄ワックス剤含浸シートとを提供することにある。
【課題を解決するための手段】
【０００７】
請求項１に記載の本発明に係る洗浄ワックス剤は、 アルカリ金属の炭酸塩および重炭酸塩の少なくとも１つを含む水溶液を電気分解して得られた電解洗浄液と、天然ワックスを主成分とするワックス剤とを含有することを特徴とする。
【０００８】
請求項２に記載の本発明に係る洗浄ワックス剤は、請求項１に記載の、前記電解洗浄液は、ｐＨ値が８．５〜１１．０でかつ電気伝導度が１００ｍＳ／ｍ以上であることを特徴とする。
【０００９】
請求項３に記載の本発明に係る洗浄ワックス剤は、請求項１または２に記載の、前記電解洗浄液３０リットルに対し、前記ワックス剤を１〜２リットル含有することを特徴とする。
【００１０】
請求項４に記載の本発明に係る洗浄ワックス剤は、請求項１乃至３のいずれかに記載の、前記ワックス剤の天然ワックスが、蜜蝋であることを特徴とする。
【００１１】
請求項５に記載の本発明に係る洗浄ワックス剤は、請求項１乃至４のいずれかに記載の、前記ワックス剤に添加剤として、蜜蝋アンモニウム石鹸、亜麻仁油スタンド油、亜麻仁油、オレンジオイル、ダンマル樹脂、ミルクカゼイン、ホウ砂、ホウ酸、メチルセルローズ、ハーブ油、珪藻土、植物アルコールのうちから少なくとも１つ含んでいることを特徴とする。
【００１２】
請求項６に記載の本発明に係る洗浄ワックス剤含浸シートは、請求項１乃至５のいずれかに記載の洗浄ワックス剤を、織布、編布、不織布のうちのいずれか一つからなるシート状の基材に含浸させた洗浄ワックス剤含浸シートであって、前記洗浄ワックス剤を前記基材の重量に対し２〜２０倍の重量比で含浸させたことを特徴とする。
【００１３】
請求項７に記載の本発明に係る洗浄ワックス剤含浸シートは、請求項６に記載の、前記基材が、天然素材からなることを特徴とする。
【発明の効果】
【００１４】
請求項１に記載の洗浄ワックス剤は、アルカリ金属の炭酸塩および重炭酸塩の少なくとも１つを含む水溶液を電気分解して得られた電解洗浄液と、天然ワックスを主成分とするワックス剤とを含有するので、被洗浄物の表面に塗布したとき、電解洗浄液がワックス剤より先に被洗浄物の表面に浸透し、被洗浄物の表面の汚れ物質を吸着して効果的に除去し、かつ被洗浄物の表面の帯電を防止することによって汚れ物質の付着を防止することができ、そして、前記電解洗浄液で洗浄された被洗浄物の表面に洗浄ワックス剤に含有しているワックス剤が密着することによって優れたワックス仕上がり効果を得ることができる。そして、この効果は１剤を使用し且つ１工程で行うことができるので、その作業に要する時間と手間等が大幅に短縮される。更に、本発明の洗浄ワックス剤には界面活性剤等の化学合成物を含まないので、人の健康と地球環境に対してもより優しいものとなる。
【００１５】
請求項２に記載の洗浄ワックス剤は、前記電解洗浄液のｐＨ値が８．５〜１１．０でかつ電気伝導度が１００ｍＳ／ｍ以上であるので、この電解洗浄液による被洗浄物の表面への浸透性がよく効果的に汚れを吸着し、優れた帯電防止を発揮することから、被洗浄物の洗浄を一層効果的に行うことができる。
【００１６】
請求項３に記載の洗浄ワックス剤は、前記電解洗浄液３０リットルに対し、上記ワックス剤を１〜２リットル含有するので、  電解洗浄液とワックス剤の最適な配分となり、被洗浄物の洗浄とワックス仕上りを一層効果的に発揮することができる。
【００１７】
請求項４に記載の洗浄ワックス剤は、前記ワックス剤に用いる天然ワックスが蜜蝋であるので、化学合成品に劣らないワックス仕上りとなる。
【００１８】
請求項５に記載の洗浄ワックス剤は、前記ワックス剤に添加剤として、蜜蝋アンモニウム石鹸、亜麻仁油スタンド油、亜麻仁油、オレンジオイル、ダンマル樹脂、ミルクカゼイン、ホウ砂、ホウ酸、メチルセルローズ、ハーブ油、珪藻土、植物アルコールのうちから少なくとも１つ含んでいるので、ワックス仕上がり感のみならず、一部の添加剤芳香感等の居住空間の快適性を満たすことができる。 
請求項６に記載の洗浄ワックス剤含浸シートは、前記の洗浄ワックス剤を、織布、編布、不織布のうちのいずれか一つからなるシート状の基材に含浸させた洗浄ワックス剤含浸シートであって、前記洗浄ワックス剤を上記基材の重量に対し２〜２０倍の重量比で含浸させたものであるから、被洗浄物の洗浄とワックス仕上げに際し、被洗浄物の表面を洗浄ワックス剤含浸シートで拭くことにより、洗浄ワックス剤含浸シートに含有している洗浄ワックス剤液中の電解洗浄液によって被処理物の表面の汚れ物質を効果的に除去し、かつ物体表面の帯電を防止することによって汚れ物質の付着を防止し、そして、ワックス剤が洗浄された被洗浄物の表面に密着することによってワックス仕上げをすることができるので、作業が簡単となり、作業に要する時間と手間等を大幅に短縮することができる。
【００１９】
請求項７に記載の洗浄ワックス剤含浸シートは、前記基材が天然素材からなるので、地球環境汚染といった問題を起こすことなく廃棄することができる。
【発明を実施するための最良の形態】
【００２０】
以下，本発明に係る洗浄ワックス剤および洗浄ワックス剤含浸シートの実施の形態について，詳しく説明する。
【００２１】
本発明に係る洗浄ワックス剤は、アルカリ金属の炭酸塩および重炭酸塩の少なくとも１つを含む水溶液を電気分解して得られた電解洗浄液と、天然ワックスを主成分とするワックス剤とを含有する。
【００２２】
前記電解洗浄液は、原理的にはよく知られている水電解の方法と同じ方法により得られるものである。具体的には（図示しない）、例えば、まず、ＨＤＰ（高密度ポリエチレン樹脂）やＰＶＣ（ポリ塩化ビニール樹脂）等の電解槽を用意し、その電解槽に電極としてチタンに白金メッキしたものを陽極、陰極に用い、この陽極と陰極との間に陽極液と陰極液との混入防止用にＰＰ（ポリプロピレン樹脂）製の不織布を隔膜としてセットする。次に、この電解槽に１〜１０重量％の重炭酸ソーダ（炭酸水素ナトリウムのことで、重曹ともいう）水溶液を電解液として所定量満たし、その後上記電極間に所定の直流電流を流して電気分解する。その結果、本発明の電解洗浄液は陰極側で還元されて得られると同時に、陽極側にもｐＨ調整液が得られる。
【００２３】
この場合、電解洗浄液のｐＨ等の物性値は、電解時間によってファラデーの法則により電気分解される量が異なることから制御することができる。
【００２４】
なお、本発明の電解洗浄液は、公知の炭酸ソーダ（炭酸ナトリウム）または重炭酸ソーダ水溶液を電気分解して得られた電解洗浄液を何ら制限なく使用することができる。
【００２５】
前記電解洗浄液の洗浄の原理とその仕組みにあっては、炭酸ソーダまたは重炭酸ソーダ水溶液を電気分解してアルカリ化した液は、水分子のクラスタが細分化されることにより、物体表面に付着している汚れ物質への浸透力が強まって汚れ物質を物体表面から剥離し、剥離した汚れ物質を分散させることで界面活性剤を用いることなく優れた洗浄効果を発揮することができることが知られている。
【００２６】
以下、図１乃至図４に示すステップに従って、この電解洗浄液による物体表面を洗浄する原理とその仕組みについて詳しく説明する。
【００２７】
図１は、被洗浄物１の表面に付着している汚れ物質２の周囲を電解洗浄液中のマイナスイオン３が取り囲んでいる状態を示している。
【００２８】
図２は、電気分解されたことによって水分子のクラスタが細分化されたことによって、被洗浄物１の表面に付着している汚れ物質２に対して電解洗浄液中のマイナスイオン３の浸透力が強まって、汚れ物質２が被洗浄物１の表面から離脱していく状態（図中の矢印で示す方向）を示している。
【００２９】
図３は、被洗浄物１から離脱した汚れ物質２を電解洗浄液中のマイナスイオン３が取り囲んで、汚れ物質２全体がマイナスに帯電し、そして、電解洗浄液中に多量存在するマイナスイオン３が被洗浄物１の表面のプラスイオンを吸収して被洗浄物表面全体がマイナスに帯電する状態を示している。その結果、汚れ物質２と被洗浄物１の表面は共にマイナス電荷同士となり、両者には静電反発力が生じて図中の矢印に示すように汚れ物質が物体表面から剥離されていく状態となる。
【００３０】
図４は、図３で剥離した汚れ物質２が、細かく分散している状態を示している。この汚れ物質２を細かく分散させることは、上記図３に示す汚れ物質２の物体１の表面からの剥離を一層効果的にするものである。その結果、電解洗浄液によって被洗浄物１の表面の汚れ物質２は被洗浄物１の表面から効果的に除去される。また、被洗浄物１の表面は表面のプラス電荷が液中のマイナスイオン３によって中和されることから、帯電が防止されて汚れ物質２の静電吸着等による付着が防止される。
【００３１】
前記電解洗浄液にあっては、ｐＨ値が８．５〜１１．０でかつ電気伝導度が１００ｍＳ／ｍ以上であることが好ましい。このようにすると電解洗浄液による被洗浄物の表面への浸透性がよく効果的に汚れを吸着し、優れた帯電防止を発揮することから、被洗浄物の洗浄を一層効果的に行うことができる。
【００３２】
本発明の洗浄ワックス剤によれば、前記のようにして洗浄された被洗浄物１の表面に洗浄ワックス剤に含有しているワックス剤が容易に密着できるので、優れたワックス仕上げを行える。
【００３３】
前記天然ワックスを主成分とするワックス剤は、公知の天然ワックスを主成分としたワックス剤が何ら制限なく使用できる。具体的には、植物ワックスとして、カルナバワックス、ライスワックス、カンデリラワックス、木蝋（ジャパンワックス）、セラリカ（天然生物ロウ）等があり、動物／昆虫ワックスとして、蜜蝋（ビーズワックス）、シナ蝋等がある。かかる天然ワックス中で、前記蜜蝋がワックス仕上がり性、経済性、安全性等の面から好適である。
【００３４】
前記ワックス剤には添加剤として、公知の添加物が何ら制限なく使用できる。具体的な添加剤としては、蜜蝋アンモニウム石鹸、亜麻仁油スタンド油、亜麻仁油、オレンジオイル、ダンマル樹脂、ミルクカゼイン、ホウ砂、ホウ酸、メチルセルローズ、ハーブ油、珪藻土、植物アルコール等があり、これら添加物は例えば、ワックス仕上げ後の居住空間等に一部の添加剤で芳香作用等を付加するといった使用目的に応じた用途でワックス剤に添加される。
【００３５】
本発明の洗浄ワックス剤における前記電解洗浄液とワックス剤の配合は、物体表面のワックス仕上がり感等を考慮して、上記電解洗浄液３０リットルに対し、上記ワックス剤を１〜２リットルの割合で配合することが好ましい。このような配合とすると、電解洗浄液とワックス剤の最適な配分となり、被洗浄物の洗浄とワックス仕上りを一層効果的に発揮することができる。
【００３６】
次に本発明に係る洗浄ワックス剤含浸シートを説明する。  
洗浄ワックス剤含浸シートは、前記の洗浄ワックス剤を、織布、編布、不織布のうちのいずれか一つからなるシート状の基材に含浸させた洗浄ワックス剤含浸シートである。洗浄ワックス剤を含浸するシートの基材は、公知の織布、編布、不織布が何ら制限なく使用できるが、地球環境の汚染防止の上からトウモロコシ、コットン、シルク、麻などの天然繊維、レーヨン（再生繊維）を素材としたものが好適である。そして、前記シートに、前記洗浄ワックス剤をシート基材の重量に対し２〜２０倍の重量比で含浸させたものであり、その方法としては、例えば、洗浄ワックス剤を入れたＨＤＰ（高密度ポリエチレン）等の樹脂容器にシート基材を所定の時間浸積して重量を調整する、あるいは基材重量に対する洗浄ワックス剤の重量を予め計測して基材シートに洗浄ワックス剤を染みこませて含浸する等の種々の方法がある。
【００３７】
本発明の洗浄ワックス剤がワックス仕上げを行う対象は、特に限定されるものではないが、効果的なものとしては、例えば、オーク、チーク、ナラ、パイン、タモ、楓、桜、檜等の木質系の床材、壁材、ドア材、あるいは鉄鋼、アルミニウム等の金属系の車輌材、航空機材、さらに無機系不燃材としてのガラス材や有機系の天然若しくは合成表皮材などがあげられる。
【実施例】
【００３８】
次に、実施例及び比較例を挙げて本発明の特徴について例証するが、本発明はこれによって限定されるものではない。  
洗浄ワックス剤の調整、実験方法、および評価法は、以下のようにして行い、その評価結果を表１に示した。
【００３９】
（１）洗浄ワックス剤等の調整
［実施例］
重炭酸ナトリウム水溶液を電気分解して得られたｐＨ１０で電気伝導度６５０ｍＳ／ｍの電解洗浄液３０リットルに対し、蜜蝋を主成分とするワックス剤１リットルを配合して洗浄ワックス剤を調整した。この洗浄ワックス剤を市販の綿製の不織布（２００×３００×１ｍｍ）に、不織布３．６グラムに対して洗浄ワックス剤９．６グラムを常温で含浸させて洗浄ワックス剤含浸シートを得た。
【００４０】
［比較例］
市販洗浄剤と市販ワックス剤とを別途用意した。この洗浄剤とワックス剤を実施例と同様の市販の綿製の不織布（２００×３００×１ｍｍ）に、不織布３．６グラムに対して洗浄剤９．０グラムを常温で不織布に含浸し、これとは別の不織布に、不織布３．６グラムに対してワックス剤９．０グラム（上記実施例の電解洗浄液３０リットルに対し、ワックス剤１リットルを配合することに準じている）を常温で含浸させて、洗浄剤含浸シートとワックス剤含浸シートを得た。
【００４１】
（２）実験方法
実験対象物体には、一般家庭に施工されている木質系床材のパイン（縦１０００×横５００×厚さ３０ｍｍ）を用いて以下のように行った。  
まず、実施例では、上記洗浄ワックス剤含浸シートで供試床材表面を拭くことにより洗浄とワックス仕上げを行った。  
次に、比較例では、先ず、洗浄剤含浸シートで供試床材表面を拭いて洗浄した後、ワックス剤含浸シートでワックス仕上げを行った。
【００４２】
（３）評価内容及び評価方法
評価は、ワックス仕上げ後の床材表面の汚れ除去性、艶出し性、スベリ性、速乾性についておこない、評価の方法は、検査員１０名がそのワックス仕上げされた床材表面を肉眼による目視検査と手の触感検査とによってどちらが優れているか相対評価し、その結果を定量化して、それをベースに、８名以上がよいとした場合を◎、５名から７名がよいとした場合を○、３名から４名がよいとした場合を△、２名以下がよいとした場合を×として評価した。
【００４３】
評価結果は表１に示す。
【表１】
2005154560.tif 000002
【図面の簡単な説明】
【００４４】
【図１】本発明の洗浄ワックス剤に用いた電解洗浄液による洗浄原理とその仕組みを説明するためのステップ図である。
【図２】本発明の洗浄ワックス剤に用いた電解洗浄液による洗浄原理とその仕組みを説明するためのステップ図である。
【図３】本発明の洗浄ワックス剤に用いた電解洗浄液による洗浄原理とその仕組みを説明するためのステップ図である。
【図４】本発明の洗浄ワックス剤に用いた電解洗浄液による洗浄原理とその仕組みを説明するためのステップ図である。
【符号の説明】
【００４５】
１  被洗浄物
２  汚れ物質
３  マイナスイオン
【図１】
2005154560.tif 000003
【図２】
2005154560.tif 000004
【図３】
2005154560.tif 000005
【図４】
2005154560.tif 000006